(57)【要約】【課題】外部機器をカスタマイズできる情報処理端末、情報処理システム及び情報処理方法を提供する。【解決手段】実施形態によれば、情報処理端末は、選択手段と、受信手段と、送信手段とを備える。前記選択手段は、ユーザ操作に基づいて第１の外部機器に組み込む機能を選択する。前記受信手段は、第２の外部機器から前記機能に対応するプログラムをダウンロードする。前記送信手段は、前記プログラムを前記第１の外部機器に送信する。【選択図】図２
2014010466.tif 000002
【特許請求の範囲】
【請求項１】
ユーザ操作に基づいて第１の外部機器に組み込む機能を選択する選択手段と、
第２の外部機器から前記機能に対応するプログラムをダウンロードする受信手段と、
前記プログラムを前記第１の外部機器に送信する送信手段と、
を備える情報処理端末。
【請求項２】
前記受信手段は、前記第２の外部機器から、前記プログラムの設定メニューをダウンロードする、請求項１記載の情報処理端末。
【請求項３】
前記設定メニューを保存する記憶手段を備える、請求項２記載の情報処理端末。
【請求項４】
前記送信手段は、前記設定メニューでの設定変更情報を前記第１の外部機器に送信する、請求項３記載の情報処理端末。
【請求項５】
前記選択手段は、前記第２の外部機器が提供するユーザインタフェース上で前記機能を選択する、請求項１記載の情報処理端末。
【請求項６】
前記送信手段は、前記プログラムと共に前記プログラムの更新指示を前記第１の外部機器に送信する、請求項１記載の情報処理端末。
【請求項７】
前記機能は、前記第２の外部機器の映像処理プロセッサでの映像処理機能及び音声処理プロセッサでの音声処理機能のうちの少なくとも一方である、請求項１記載の情報処理端末。
【請求項８】
情報処理端末と、サーバと、電子機器とを備える情報処理システムにおいて、
前記情報処理端末は、
ユーザ操作に基づいて前記電子機器に組み込む機能を選択する選択手段と、
前記サーバから前記機能に対応するプログラムをダウンロードする受信手段と、
前記プログラムを前記電子機器に送信する送信手段と、
を備え、
前記サーバは、
前記情報処理端末による前記機能の選択に基づいて、前記プログラムを前記情報処理端末に送信する送信手段と、
を備え、
前記電子機器は、
前記情報処理端末から送信される前記プログラムに基づいてデータを処理する処理手段と、
を備える、
情報処理システム。
【請求項９】
ユーザ操作に基づいて第１の外部機器に組み込む機能を選択し、
第２の外部機器から前記機能に対応するプログラムをダウンロードし、
前記プログラムを前記第１の外部機器に送信する、
情報処理方法。
【発明の詳細な説明】
【技術分野】
【０００１】
本実施形態は、外部機器をカスタマイズできる情報処理端末、情報処理システム及び情報処理方法に関する。
【背景技術】
【０００２】
近年、デジタルテレビ受信装置は、高画質化処理機能や高音質化処理機能などの進歩に伴い、多機能化が進んでいる。デジタルテレビ受信装置は、製品出荷時に全ての高画質化処理機能や高音質化処理機能が組み込まれている。そのため、デジタルテレビ受信装置は、全機能が同時動作することを想定して動作保証されている。例えば、各機能は、製品に搭載されている画像処理プロセッサや音声処理プロセッサの処理能力を超過しない範囲で、同時動作時の仕様、性能及び処理負荷に制限を設けて調整されている。
【先行技術文献】
【特許文献】
【０００３】
【特許文献１】特開平１１−５５５８１号公報
【発明の概要】
【発明が解決しようとする課題】
【０００４】
しかしながら、デジタルテレビ受信装置は、各機能に対する設定項目が多いことなどを理由に、製品出荷時の設定のままで使用されていることが散見される。
【０００５】
一方で、スマートフォンに代表されるような携帯端末は、各ユーザが製品出荷時の設定のまま使用することは少ない。携帯端末は、各ユーザの嗜好に応じて機能を追加可能となるユーザの多様性が求められている。
【０００６】
本発明の目的は、外部機器をカスタマイズできる情報処理端末、情報処理システム及び情報処理方法を提供することである。
【課題を解決するための手段】
【０００７】
実施形態によれば、情報処理端末は、選択手段と、受信手段と、送信手段とを備える。前記選択手段は、ユーザ操作に基づいて第１の外部機器に組み込む機能を選択する。前記受信手段は、第２の外部機器から前記機能に対応するプログラムをダウンロードする。前記送信手段は、前記プログラムを前記第１の外部機器に送信する。
【図面の簡単な説明】
【０００８】
【図１】実施形態に係る情報処理システムのブロック図。
【図２】実施形態に係るプログラムの取得処理の一例となるフローチャート。
【図３】実施形態に係る映像音声機能選択画面の図。
【図４】実施形態に係る外部機器の設定処理の一例となるフローチャート。
【図５】実施形態に係るプログラムの送信処理の一例となるフローチャート。
【図６】実施形態に係るプログラムの送信処理の他の例となるフローチャート。
【発明を実施するための形態】
【０００９】
以下、本実施形態について図面を参照して説明する。図１は、本実施形態に係る情報処理システム１の概略を示すブロック図である。情報処理システム１は、デジタルテレビ受信装置１０、携帯端末（情報処理端末）２０、サーバ３０を備える。  
デジタルテレビ受信装置（電子機器）１０の構成について説明する。デジタルテレビ受信装置１０は、メインＳＯＣ１０１、不揮発性メモリ１０２、不揮発性メモリ１０３、映像処理バックエンドプロセッサ１０４、表示パネル１０５、不揮発性メモリ１０６、音声処理バックエンドプロセッサ１０７、スピーカ１０８を備える。
【００１０】
メインＳｏＣ(System on a Chip)１０１は、チューナ１０１１、ＴＳ(Transport Stream)  Ｄｅｍｕｘ部（デマルチプレクサ）１０１２、映像デコーダ１０１３、音声デコーダ１０１４、ＬＡＮ  Ｉ／Ｆ１０１５、プロセッサ制御処理部１０１６、プログラム更新処理部１０１７を備える。なお、これらの要素は、必ずしもメインＳｏＣ１０１に含まれている必要はなく、メインＳｏＣ１０１から分離されていてもよい。
【００１１】
チューナ１０１１は、アンテナ１１を介してデジタル放送（放送波）を受信し、放送データを取得する。チューナ１０１１は、放送データをＴＳ  Ｄｅｍｕｘ部１０１２に出力する。ＴＳ  Ｄｅｍｕｘ部１０１２は、放送データから映像データ、音声データを分離する。Ｄｅｍｕｘ部１０１２は、ＴＳ  Ｄｅｍｕｘ部１０１２は、映像データを映像デコーダ１０１３に出力する。さらに、ＴＳ  Ｄｅｍｕｘ部１０１２は、音声データを音声デコーダ１０１４に出力する。映像デコーダ１０１３は、映像データをデコード処理する。映像デコーダ１０１３は、映像処理バックエンドプロセッサ１０４に出力する。音声デコーダ１０１４は、音声データをデコード処理する。音声デコーダ１０１４は、音声処理バックエンドプロセッサ１０７に出力する。
【００１２】
ＬＡＮ(Local Area Network)  Ｉ／Ｆ(Interface)１０１５は、携帯端末２０と無線通信する通信手段である。ＬＡＮ  Ｉ／Ｆ１０１５は、携帯端末２０から情報を受信する受信手段１０１５ａを備える。プロセッサ制御処理部１０１６は、映像処理バックエンドプロセッサ１０４に対するコマンドをＬＡＮ  Ｉ／Ｆ１０１５を介して携帯端末２０から受ける。プロセッサ制御処理部１０１６は、後述するように、映像処理バックエンドプロセッサ１０４に対するコマンドを映像処理バックエンドプロセッサ１０４にスルー出力する。同様に、プロセッサ制御処理部１０１６は、音声処理バックエンドプロセッサ１０７に対するコマンドを、ＬＡＮ  Ｉ／Ｆ１０１５を介して携帯端末２０から受ける。プロセッサ制御処理部１０１６は、後述するように、音声処理バックエンドプロセッサ１０７に対するコマンドを音声処理バックエンドプロセッサ１０７にスルー出力する。プログラム更新処理部１０１７は、映像処理バックエンドプロセッサ１０４が用いるためのプログラム（以降、映像処理プログラムという）を、ＬＡＮ  Ｉ／Ｆ１０１５を介して携帯端末２０から受ける。プログラム更新処理部１０１７は、携帯端末２０から送信される映像処理プログラムに基づいて、不揮発性メモリ１０３に保存（格納）されている映像処理プログラムを更新する（書き換える）。同様に、プログラム更新処理部１０１７は、音声処理バックエンドプロセッサ１０７が用いるためのプログラム（以降、音声処理プログラムという）を、ＬＡＮ  Ｉ／Ｆ１０１５を介して携帯端末２０から受ける。プログラム更新処理部１０１７は、携帯端末２０から送信される音声処理プログラムに基づいて、不揮発性メモリ１０６に保存されている音声処理プログラムを更新する。なお、本実施形態では、映像・音声処理プログラムの用語は、映像処理プログラム及び音声処理プログラムのうちの少なくとも一方を含むことを意図するものとする。
【００１３】
不揮発性メモリ１０２は、ＳｏＣ１０１内の制御で用いられるプログラム等を保存する。  
不揮発性メモリ１０３は、デジタルテレビ受信装置１０の出荷時に予め設定された映像処理プログラムだけでなく、上述したように携帯端末２０から送信される映像処理プログラムも保存する。映像処理バックエンドプロセッサ１０４は、メインＳｏＣ１０１の後段に設けられたプロセッサである。映像処理バックエンドプロセッサ１０４は、不揮発性メモリ１０３に保存されている映像処理プログラムを用いて、映像データに例えば高画質化処理を施す。映像処理バックエンドプロセッサ１０４は、高画質化処理が施された映像データを表示パネル１０５に出力する。表示パネル１０５は、映像データに基づく映像を表示する。
【００１４】
不揮発性メモリ１０６は、デジタルテレビ受信装置１０の出荷時に予め設定された音声処理プログラムだけでなく、上述したように携帯端末２０から送信される音声処理プログラムも保存する。音声処理バックエンドプロセッサ１０７は、メインＳｏＣ１０１の後段に設けられたプロセッサである。音声処理バックエンドプロセッサ１０７は、不揮発性メモリ１０６に保存されている音声処理プログラムを用いて、音声データに例えば高音質処理を施す。音声処理バックエンドプロセッサ１０７は、高音質化処理が施された音声データをスピーカ１０８に出力する。スピーカ１０８は、音声データに基づく音声を出力する。
【００１５】
本実施形態は、上述のように構成されたデジタルテレビ受信装置１０を例にして説明するが、映像処理機能を備えるプロセッサ及び音声処理機能を備えるプロセッサのいずれか一方を備える電子機器であってもよい。
【００１６】
携帯端末２０の構成について説明する。携帯端末２０は、無線ネットワークを介してデジタルテレビ受信装置１０及びサーバ３０と通信可能な電子機器である。携帯端末２０は、例えば、スマートフォン、タブレット型端末などである。  
携帯端末２０は、制御部２０１、ＲＯＭ(Read Only Memory)２０２、ＲＡＭ(Random access Memory)２０３、ＬＡＮ  Ｉ／Ｆ２０４、表示パネル２０５、スピーカ２０６、センサ部２０７、入力部２０８、記憶部（記憶手段）２０９を備える。
【００１７】
制御部２０１は、携帯端末２０の各要素の動作を制御する。制御部２０１は、サーバ３０が提供するユーザインタフェースにアクセスするためのアクセス手段２０１ａと、サーバ３０が提供するユーザインタフェースを操作する選択手段２０１ｂと、デジタルテレビ受信装置１０またはサーバ３０に情報を送信するための送信制御手段２０１ｃと、デジタルテレビ受信装置１０またはサーバ３０から情報を受信するための受信制御手段２０１ｄとを備える。ＲＯＭ２０２は、携帯端末２０の各要素を制御するためのプログラムを保存する。ＲＡＭ２０３は、制御部２０１のワークメモリとして機能する。
【００１８】
ＬＡＮ  Ｉ／Ｆ２０４は、デジタルテレビ受信装置１０及びサーバ３０と無線通信する通信手段である。ＬＡＮ  Ｉ／Ｆ２０４は、デジタルテレビ受信装置１０またはサーバ３０に情報を送信する送信手段２０４ａを備える。ＬＡＮ  Ｉ／Ｆ２０４は、サーバ３０から情報を受信するする受信手段２０４ｂを備える。表示パネル２０５は、制御部２０１による制御に基づいて、種々の画像を表示する。スピーカ２０６は、制御部２０１による制御に基づいて、音声を出力する。センサ部２０７は、例えば、静電容量式センサを含む。センサ部２０７は、例えば、表示パネル２０５と一体に設けられる。センサ部２０７は、表示パネル２０５上でのユーザ操作に基づいて生成した操作信号を制御部２０１に供給する。入力部２０８は、例えば、ボタン式のキーである。入力部２０８は、ユーザ操作に基づいて生成した操作信号を制御部２０１に供給する。記憶部２０９は、種々の情報を保存する。
【００１９】
上述のように構成された携帯端末２０は、サーバ３０からダウンロードした映像・音声処理プログラムをデジタルテレビ受信装置１０に転送（送信）し、映像・音声処理プログラムの更新をデジタルテレビ受信装置１０に指示する機能を備える。
【００２０】
さらに、携帯端末２０は、サーバ３０からダウンロードした映像・音声処理プログラムに対応する（連携する）設定メニューに対するユーザ操作に基づいて、デジタルテレビ受信装置１０に保存されている映像・音声処理プログラムの設定変更をデジタルテレビ受信装置１０に指示する機能を備える。
【００２１】
サーバ３０の構成について説明する。サーバ３０は、制御部３０１、ＲＯＭ３０２、ＲＡＭ３０３、ＬＡＮ  Ｉ／Ｆ３０４、記憶部（記憶手段）３０５を備える。  
制御部３０１は、サーバ３０の各要素の動作を制御する。制御部３０１は、携帯端末２０に情報を送信するための送信制御手段３０１ａと、映像・音声処理プログラム及び設定メニューを生成する生成手段３０１ｂとを備える。ＲＯＭ３０２は、サーバ３０の各要素を制御するためのプログラムを保存する。ＲＡＭ３０３は、制御部３０１のワークメモリとして機能する。ＬＡＮ  Ｉ／Ｆ３０４は、携帯端末２０と無線通信する通信手段である。ＬＡＮ  Ｉ／Ｆ３０４は、携帯端末２０に情報を送信する送信手段３０４ａを備える。記憶部３０５、種々の情報を保存する。
【００２２】
上述のように構成されたサーバ３０は、携帯端末装置１０からのアクセスを受けて、ユーザが嗜好するデジタルテレビ受信装置１０における映像・音声処理機能の組合せを選択させるユーザインタフェース（以降、映像音声機能選択ＵＩという）を提供する機能を備える。映像音声機能選択ＵＩは、記憶部３０５に保存されている映像音声機能選択ＵＩのプログラムを用いて制御部３０１によって提供される。なお、本実施形態では、映像・音声処理機能の用語は、デジタルテレビ受信装置１０の映像処理バックエンドプロセッサ１０４での映像処理機能及び音声処理バックエンドプロセッサ１０７での音声処理機能のうちの少なくとも一方を含むことを意図するものとする。さらに、サーバ３０は、ユーザが選択した映像・音声処理機能を実現するための映像・音声処理プログラム、映像・音声処理プログラムを制御するための設定メニューを生成する機能を備える。なお、設定メニューは、映像・音声処理プログラムに含まれる各機能毎に個別のものであっても、各機能を一括で設定可能な一体のものであってもよく、限定されない。さらに、サーバ３０は、生成した映像・音声処理プログラム及び設定メニューを携帯端末１０に送信する機能を備える。
【００２３】
図２は、携帯端末２０によるサーバ３０からの映像・音声処理プログラムの取得処理の一例となるフローチャートである。  
制御部２０１は、映像処理プログラム及び音声処理プログラムの取得処理に関するユーザ操作に基づいて、サーバ３０に接続する（Ｂｌｏｃｋ１００１）。Ｂｌｏｃｋ１００１では、制御部２０１は、ＬＡＮ  Ｉ／Ｆ２０４を介して、サーバ３０が提供する映像音声機能選択ＵＩにアクセスする。制御部２０１は、表示パネル２０５上に映像音声機能選択ＵＩを表示制御する。制御部２０１は、ユーザ操作に基づいて、映像音声機能選択ＵＩ上で、デジタルテレビ受信装置１０に組み込む映像・音声処理機能を選択する（Ｂｌｏｃｋ１００２）。
【００２４】
ここで、図３は、表示パネル２０５に表示される映像音声機能選択ＵＩの一例となる画面図である。映像音声機能選択ＵＩは、映像処理機能選択欄及び音声処理機能選択欄を含む。映像処理機能は、一例として、超解像機能、２Ｄ−３Ｄ変換機能、グラフィックス機能を含み得るが、これらに限定されない。音声処理機能は、一例として、グラフィックスイコライザ、３Ｄサウンド、自動音量補正、サンプリングレート変換、ディレイ制御を含み得るが、これらに限定されない。ユーザは、映像音声機能選択ＵＩ上で、映像・音声処理機能に含まれる各機能の要否を選択可能である。つまり、ユーザは、所有するデジタルテレビ受信装置１０に組み込みたい少なくとも１つの機能を映像音声機能選択ＵＩに表示されている１以上の映像処理機能及び１以上の音声処理機能の中から選択可能である。
【００２５】
図２に戻って、制御部２０１は、ＬＡＮ  Ｉ／Ｆ２０４を介して、選択された映像・音声処理機能の組合せに対応する映像・音声処理プログラム及びこれに対応する設定メニューをサーバ３０からダウンロードするように制御する（Ｂｌｏｃｋ１００３）。つまり、ＬＡＮ  Ｉ／Ｆ２０４は、サーバ３０から、選択された映像・音声処理機能の組合せに対応する映像・音声処理プログラム及びこれに対応する設定メニューを受信（ダウンロード）する。制御部２０１は、設定メニューを記憶部２０９に保存する。なお、サーバ３０による映像・音声処理プログラム及びこれに対応する設定メニューの送信処理については、後述する。
【００２６】
制御部２０１は、ＬＡＮ  Ｉ／Ｆ２０４を介して、ダウンロードした映像・音声処理プログラムをデジタルテレビ受信装置１０に転送し、映像・音声処理プログラムの更新指示をデジタルテレビ受信装置１０に送信するように制御する（Ｂｌｏｃｋ１００４）。つまり、ＬＡＮ  Ｉ／Ｆ２０４は、映像・音声処理プログラムと共に映像・音声処理プログラムの更新指示をデジタルテレビ受信装置１０に送信する。プログラム更新処理部１０１７は、携帯端末２０からの映像・音声処理プログラム及び更新指示に基づいて、不揮発性メモリ１０３に保存されている映像処理プログラムを更新する。同様に、プログラム更新処理部１０１７は、不揮発性メモリ１０６に保存されている音声処理プログラムを更新する。つまり、映像処理バックエンドプロセッサ１０４は、携帯端末２０から転送された映像処理プログラムに基づいて映像データを処理する。同様に、音声処理バックエンドプロセッサ１０７は、携帯端末２０から転送された音声処理プログラムに基づいて音声データを処理する。
【００２７】
図４は、携帯端末２０による設定メニューを用いたデジタルテレビ受信装置１０の設定処理の一例となるフローチャートである。  
制御部２０１は、ユーザ操作により設定メニューの表示要求がなされたか否かを判断する（Ｂｌｏｃｋ２００１）。ユーザは、デジタルテレビ受信装置１０の視聴開始後に、サーバ３０からダウンロードしてデジタルテレビ受信装置１０に転送した映像・音声処理プログラムの設定（機能のオン／オフ、パラメータなど）を変更したい場合、少なくとも変更対象となるプログラムを設定可能な設定メニューの表示要求を表示パネル２０５上で入力する。
【００２８】
設定メニューの表示要求がなされていない場合（Ｂｌｏｃｋ２００１、Ｎｏ）、制御部２０１は、設定メニューを用いたテレビ受信装置１０の設定処理を終了する。設定メニューの表示要求がなされた場合（Ｂｌｏｃｋ２００１、Ｙｅｓ）、制御部２０１は、設定メニューを表示パネル２０５に表示するように制御する（Ｂｌｏｃｋ２００２）。制御部２０１は、表示パネル２０５に表示された設定メニューに対してユーザ操作がなされた否かを判断する（Ｂｌｏｃｋ２００３）。ユーザは、設定メニュー上で、変更対象となるプログラムについて設定の変更を入力できる。
【００２９】
設定メニューに対してユーザ操作がなされていない場合（Ｂｌｏｃｋ２００３、Ｎｏ）、制御部２０１は、設定メニューを用いたテレビ受信装置１０の操作処理を終了する。設定メニューに対してユーザ操作がなされた場合（Ｂｌｏｃｋ２００３、Ｙｅｓ）、制御部２０１は、ＬＡＮ  Ｉ／Ｆ２０４を介して、設定メニューでの設定変更の情報を設定コマンドとしてデジタルテレビ受信装置２０に送信するように制御する（Ｂｌｏｃｋ２００４）。つまり、ＬＡＮ  Ｉ／Ｆ２０４は、設定メニューでの設定変更の情報をデジタルテレビ受信装置２０に送信する。デジタルテレビ受信装置１０では、映像処理バックエンドプロセッサ１０４は、設定コマンドに基づいて。映像処理プログラムの設定を変更する。同様に、音声処理バックエンドプロセッサ１０７は、音声処理プログラムの設定を変更する。つまり、映像処理バックエンドプロセッサ１０４は、設定変更された映像処理プログラムに基づいて映像データを処理する。同様に、音声処理バックエンドプロセッサ１０７は、設定変更された音声処理プログラムに基づいて音声データを処理する。
【００３０】
なお、ＳｏＣ１０１６（具体的にはプロセッサ制御処理部１０１６）は、ＬＡＮ  Ｉ／Ｆ１０１５で受信された設定コマンドを映像処理バックエンドプロセッサ１０４または音声処理バックエンドプロセッサ１０７にスルー出力するのみである。つまり、設定コマンドの解釈は、ＳｏＣ１０１６ではなく、映像処理バックエンドプロセッサ１０４または音声処理バックエンドプロセッサ１０７での実行が前提とされている。これにより、デジタルテレビ受信装置１０は、基本的なデジタル放送の処理を実行するメインＳｏＣ１０１に対するプログラムの更新を行うことはなく、映像処理バックエンドプロセッサ１０４または音声処理バックエンドプロセッサ１０７に対する映像・音声処理プログラムの更新を行なうのみなので、映像処理及び音声処理に関する設定変更が容易である。さらに、本実施形態は、携帯端末２０が設定メニューを構築するので、音声処理機能は備えているが映像処理機能を備えていない電子機器に対しても適用できる利点がある。
【００３１】
なお、携帯端末２０が設定メニューをデジタルテレビ受信装置１０に送信しない、またはデジタルテレビ受信装置１０が映像・音声処理プログラム及び設定メニューをサーバから直接ダウンロードしないのは、デジタルテレビ受信装置１０が設定メニューを扱うには、メインＳｏＣ１０１で使用するプログラムを書き換える必要があり、ユーザの利便性が損なわれるためである。
【００３２】
図５は、サーバ３０における映像・音声処理プログラム及び設定メニューの送信処理の一例となるフローチャートである。  
制御部３０１は、携帯端末２０による映像音声機能選択ＵＩ上での映像・音声処理機能の選択を検出する（Ｂｌｏｃｋ３００１）。制御部３０１は、選択された映像・音声処理機能の組合せに対応する映像・音声処理プログラム及びこれに対応する設定メニューを生成する（Ｂｌｏｃｋ３００２）。制御部３０１は、ＬＡＮ  Ｉ／Ｆ３０４を介して、生成した映像・音声処理プログラム及び設定メニューを携帯端末３０に送信するように制御する（Ｂｌｏｃｋ３００３）。つまり、ＬＡＮ  Ｉ／Ｆ３０４は、携帯端末２０による映像・音声処理機能の選択に基づいて、映像・音声処理プログラム及び設定メニューを携帯端末３０に送信する。
【００３３】
図６は、サーバ３０における映像・音声処理プログラム及び設定メニューの送信処理の他の例となるフローチャートである。  
制御部３０１は、携帯端末２０による映像音声機能選択ＵＩ上での映像・音声処理機能の選択を検出する（Ｂｌｏｃｋ４００１）。制御部３０１は、選択された映像・音声処理機能の組合せに対応する映像・音声処理プログラム及びこれに対応する設定メニューを記憶部３０５から取得する（Ｂｌｏｃｋ４００２）。つまり、サーバ３０の管理者は、ユーザのニーズがあると予測される映像・音声処理機能の組合せに対応する映像・音声処理プログラム及びこれに対応する設定メニューを予め作成し、記憶部３０５に保存する。制御部３０１は、ＬＡＮ  Ｉ／Ｆ３０４を介して、記憶部３０５から取得した映像・音声処理プログラム及び設定メニューを携帯端末３０に送信するように制御する（Ｂｌｏｃｋ４００３）。
【００３４】
図６に示す送信処理によれば、サーバ３０は、映像・音声処理プログラム及び設定メニューをユーザ選択に応じて逐一生成する必要がないので、映像・音声処理プログラム及び設定メニューの携帯端末２０への送信処理を早めることができる。
【００３５】
本実施形態によれば、各ユーザは、デジタルテレビ受信装置１０の映像・音声処理機能を嗜好に応じてカスタマイズすることができる。例えば、ユーザは、真に必要とする機能が１つであった場合、その機能にプロセッサの処理能力を最大限に活用させることで、更なる高画質化または高音質化に特化させたデジタルテレビ受信装置１０にカスタマイズできる。
【００３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
１…情報処理システム、１０…デジタルテレビ受信装置、１１…アンテナ、２０…携帯端末、３０…サーバ、１０１…メインＳｏＣ、１０２…不揮発性メモリ、１０３…不揮発性メモリ、１０４…映像処理バックエンドプロセッサ、１０５…表示パネル、１０６…不揮発性メモリ、１０７…音声処理バックエンドプロセッサ、１０８…スピーカ１０８、２０１…制御部、２０１ａ…アクセス手段、２０１ｂ…選択手段、２０１ｃ…送信制御手段、２０１ｄ…受信制御手段、２０２…ＲＯＭ、２０３…ＲＡＭ、２０４…ＬＡＮ  Ｉ／Ｆ、２０４ａ…送信手段、２０４ｂ…受信手段、２０５…表示パネル、２０６…スピーカ、２０７…センサ部、２０８…入力部、２０９…記憶部、３０１…制御部、３０１ａ…送信制御手段、３０１ｂ…生成手段、３０２…ＲＯＭ、３０３…ＲＡＭ、３０４…ＬＡＮ  Ｉ／Ｆ、３０４ａ…送信手段、３０５…記憶部、１０１１…チューナ、１０１２…ＴＳ  Ｄｅｍｕｘ部、１０１３…映像デコーダ、１０１４…音声デコーダ、１０１５…ＬＡＮ  Ｉ／Ｆ、１０１５ａ…受信手段、１０１６…プロセッサ制御処理部、１０１７…プログラム更新処理部。
【図１】
2014010466.tif 000003
【図２】
2014010466.tif 000004
【図３】
2014010466.tif 000005
【図４】
2014010466.tif 000006
【図５】
2014010466.tif 000007
【図６】
2014010466.tif 000008
【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
操作に基づいて第１の外部機器に組み込む機能を選択する選択手段と、
第２の外部機器から前記機能に対応するプログラム及び前記プログラムの設定メニューをダウンロードする受信手段と、
前記プログラム及び前記設定メニューでの設定変更情報を前記第１の外部機器に送信する送信手段と、
を備える情報処理端末。
【請求項２】
前記選択手段は、前記第２の外部機器が提供するユーザインタフェース上で前記機能を選択する、請求項１記載の情報処理端末。
【請求項３】
前記送信手段は、前記プログラムと共に前記プログラムの更新指示を前記第１の外部機器に送信する、請求項１記載の情報処理端末。
【請求項４】
前記機能は、前記第１の外部機器の映像処理プロセッサでの映像処理機能及び音声処理プロセッサでの音声処理機能のうちの少なくとも一方である、請求項１記載の情報処理端末。
【請求項５】
情報処理端末と、サーバと、電子機器とを備える情報処理システムにおいて、
前記情報処理端末は、
操作に基づいて前記電子機器に組み込む機能を選択する選択手段と、
前記サーバから前記機能に対応するプログラム及び前記プログラムの設定メニューをダウンロードする受信手段と、
前記プログラム及び前記設定メニューでの設定変更情報を前記電子機器に送信する送信手段と、
を備え、
前記サーバは、
前記情報処理端末による前記機能の選択に基づいて、前記プログラムを前記情報処理端末に送信する送信手段と、
を備え、
前記電子機器は、
前記情報処理端末から送信される前記プログラムに基づいてデータを処理する処理手段と、
を備える、
情報処理システム。
【請求項６】
前記選択手段は、前記サーバが提供するユーザインタフェース上で前記機能を選択する、請求項５記載の情報処理システム。
【請求項７】
前記情報処理端末の送信手段は、前記プログラムと共に前記プログラムの更新指示を前記電子機器に送信する、請求項５記載の情報処理システム。
【請求項８】
前記機能は、前記電子機器の映像処理プロセッサでの映像処理機能及び音声処理プロセッサでの音声処理機能のうちの少なくとも一方である、請求項５記載の情報処理システム。
【請求項９】
操作に基づいて第１の外部機器に組み込む機能を選択し、
第２の外部機器から前記機能に対応するプログラム及び前記プログラムの設定メニューをダウンロードし、
前記第１の外部機器に対し、前記プログラム及び前記設定メニューでの設定変更情報を送信する、
情報処理方法。
【請求項１０】
前記第２の外部機器が提供するユーザインタフェース上で前記機能を選択する、請求項９記載の情報処理方法。
【請求項１１】
前記プログラムと共に前記プログラムの更新指示を前記第１の外部機器に送信する、請求項９記載の情報処理方法。
【請求項１２】
前記機能は、前記第１の外部機器の映像処理プロセッサでの映像処理機能及び音声処理プロセッサでの音声処理機能のうちの少なくとも一方である、請求項９記載の情報処理方法。